(57)【要約】【課題】係止構造又はかしめ構造が形成された基板ケースの一側及び他側以外の側部において、二枚のケース部材の隙間に不正工具を挿入して当該基板ケースを変形し、プリント基板にアクセスする不正行為を防止する。【解決手段】基板ケース４が、第一ケース５と第二ケース６との間に液晶基板３を挟んで収納し、第一ケース５と第二ケース６が相対的なスライド操作にもとづいて開閉されるとともに、閉じ側へのスライド操作に応じて、第一ケース５と第二ケース６を係止する第一の係止構造と、第一ケース５と第二ケース６を開封不能に封止するかしめ構造とを備え、第一の係止構造が、基板ケース４の一側に設けられるとともに、かしめ構造が、第一の係止構造と対向する基板ケース４の他側に設けられ、基板ケース４の一側と他側との間に、閉じ側へのスライド操作に応じて、第一ケース５と第二ケース６を係止する第二の係止構造を備えた。【選択図】図９
2015008868.tif 000002
【特許請求の範囲】
【請求項１】
遊技に関する所定の制御を実行するプリント基板を収納した基板ケースを備える遊技機であって、
前記基板ケースが、前記プリント基板を挟んで収納する第一ケースと第二ケースとを備え、
前記第一ケースと前記第二ケースが、相対的なスライド操作にもとづいて開閉されるとともに、前記第一ケースと前記第二ケースとを閉じる閉じ側への前記スライド操作に応じて、前記第一ケースと前記第二ケースを係止する第一の係止構造と、前記第一ケースと前記第二ケースを開封不能に封止するかしめ構造とを備え、
前記第一の係止構造が、前記基板ケースの一側に設けられるとともに、前記かしめ構造が、前記第一の係止構造と対向する前記基板ケースの他側に設けられ、
前記基板ケースの前記一側と前記他側との間に、前記閉じ側への前記スライド操作に応じて、前記第一ケースと前記第二ケースを係止する第二の係止構造を備えた
ことを特徴とする遊技機。
【請求項２】
前記基板ケースが、対向する一対の長辺部と、対向する一対の短辺部とを備える長方形の平面視形状を有し、
前記第一の係止構造が、前記基板ケースの一側の短辺部に設けられるとともに、前記かしめ構造が、前記第一の係止構造と対向する前記基板ケースの他側の短辺部に設けられた
ことを特徴とする請求項１記載の遊技機。
【請求項３】
前記かしめ構造が、前記第一ケース又は前記第二ケースのいずれか一方に取り付けられるかしめ部材と、前記第一ケース又は前記第二ケースのいずれか他方に形成され、前記閉じ側への前記スライド操作に応じて前記かしめ部材に係止されることにより、前記第一ケースと前記第二ケースを開封不能に封止する被かしめ部とを備え、
前記かしめ部材が、前記閉じ側への前記スライド操作に際し、前記被かしめ部を所定の係止位置へスライド案内する案内部を備え、
前記かしめ部材の前記案内部が所定の係止位置への前記被かしめ部のスライド案内を開始した後に、前記第一の係止構造及び前記第二の係止構造が係止を開始する
ことを特徴とする請求項１又は２記載の遊技機。
【請求項４】
前記かしめ構造が、前記第一ケース又は前記第二ケースのいずれか一方に取り付けられるかしめ部材と、前記第一ケース又は前記第二ケースのいずれか他方に形成され、閉じ側への前記スライド操作に応じて前記かしめ部材に係止されることにより、前記第一ケースと前記第二ケースを開封不能に封止するかしめ部とを備え、
前記かしめ部材が、前記かしめ部に係止する爪を備え、
前記かしめ部が、前記爪に係止される係止部と、前記爪に係止された状態で前記爪の変形を規制する変形防止部とを備える
ことを特徴とする請求項１〜３のいずれか一項に記載の遊技機。
【請求項５】
所定の画面を表示して演出を行う液晶表示パネルが前記第二ケースに取り付けられ、前記液晶表示パネルを制御するためのプリント基板が前記第一ケースに取り付けられ、前記液晶表示パネルと前記プリント基板が所定の配線で接続された
ことを特徴とする請求項１〜４のいずれか一項に記載の遊技機。
【発明の詳細な説明】
【技術分野】
【０００１】
本発明は、所定のプリント基板を収納する基板ケースを備えた遊技機に関し、特に、その基板ケースが、プリント基板を収納する二つのケース部材を備え、これら二つのケース部材を開封不能に封止する封止構造を備えた遊技機に関する。
【背景技術】
【０００２】
一般に、スロットマシン、パチンコ機等の遊技機には、遊技に関する所定の制御を実行する複数のプリント基板が設けられている。これらのプリント基板には、遊技の進行を制御する主基板、所定の演出を制御する副基板、遊技機の前面に取り付けられた液晶表示パネルの表示内容を制御する液晶基板などがある。
これらのプリント基板は、当該プリント基板に対する改造等の不正行為を防止するために、通常、基板ケースに収納されている。
基板ケースは、所定の深さを有する凹状のケース部材を二枚重ね合わせた構造となっており、これら二枚のケース部材の間にプリント基板を収納し、それら二枚のケース部材を開封不能に封止することで、プリント基板に対する不正行為を防止している。
【０００３】
その基板ケースの封止構造については、具体的に下記のような構造が提案されている。
例えば、二枚のケース部材の間に所定のプリント基板を挟んで収納する基板ケースにおいて、一方のケース部材における一の縁部と他方のケース部材における一の縁部にヒンジ構造を形成して回動可能に係止させ、一方のケース部材における他の縁部と他方のケース部材における他の縁部に、これら二枚のケース部材を開封不能に封止するかしめ構造（ロック構造）を形成して、これら二枚のケース部材の間にプリント基板を収納する基板ケースが提案されている（例えば、特許文献１参照）。
【先行技術文献】
【特許文献】
【０００４】
【特許文献１】特開２００９−１８９６３２号公報
【発明の概要】
【発明が解決しようとする課題】
【０００５】
しかしながら、上述した特許文献１に記載の基板ケースにおいては、次のような問題があった。
当該基板ケースにおいては、この基板ケースの一の縁部である一側にヒンジ構造が形成されるとともに、このヒンジ構造と対向する当該基板ケースの他の縁部である他側にかしめ構造が形成される構造となっていた。これにより、その基板ケースの一側と他側では、二枚のケース部材が互いに係止されているため、その隙間に不正工具を挿入するなどして当該基板ケースを変形させることは困難となっていた。
ところが、基板ケースの一側と他側との間、すなわち、ヒンジ構造やかしめ構造が形成されていない縁部では、二枚のケース部材が互いに係止されていないので、この部分の隙間に不正工具を挿入し、当該基板ケースを変形させて、プリント基板にアクセスするなどの不正行為が発生するおそれがあった。
【０００６】
本発明は、上記の事情にかんがみなされたものであり、ヒンジ構造が形成された基板ケースの一側とかしめ構造が形成された基板ケースの他側以外における、当該基板ケースの縁部において、二枚のケース部材の隙間に不正工具を挿入して当該基板ケースを変形し、プリント基板にアクセスする不正行為を防止する遊技機の提供を目的とする。
【課題を解決するための手段】
【０００７】
上記目的を達成するため本発明の遊技機は、遊技に関する所定の制御を実行するプリント基板を収納した基板ケースを備える遊技機であって、基板ケースが、プリント基板を挟んで収納する第一ケースと第二ケースとを備え、第一ケースと第二ケースが、相対的なスライド操作にもとづいて開閉されるとともに、第一ケースと第二ケースとを閉じる閉じ側へのスライド操作に応じて、第一ケースと第二ケースを係止する第一の係止構造と、第一ケースと第二ケースを開封不能に封止するかしめ構造とを備え、第一の係止構造が、基板ケースの一側に設けられるとともに、かしめ構造が、第一の係止構造と対向する基板ケースの他側に設けられ、基板ケースの一側と他側との間に、閉じ側へのスライド操作に応じて、第一ケースと第二ケースを係止する第二の係止構造を備えた構成としてある。
【発明の効果】
【０００８】
本発明の遊技機によれば、ヒンジ構造が形成された基板ケースの一側とかしめ構造が形成された基板ケースの他側以外における、当該基板ケースの縁部に、第二の係止構造を設けたので、二枚のケース部材の隙間に不正工具を挿入してプリント基板にアクセスする不正行為を防止することができる。
【図面の簡単な説明】
【０００９】
【図１】本発明の一実施形態に係るスロットマシンの正面の構成を示す正面図である。
【図２】本発明の一実施形態に係るスロットマシンの内部構成を示す概略斜視図である。
【図３】本発明の第一実施形態に係る基板ケースの蓋ケースと本体ケースを並べた状態を示す斜視図である。
【図４】本発明の第一実施形態に係る基板ケースの蓋ケースを示す図であり、（ａ）は蓋ケースの上面図、（ｂ）は蓋ケースの正面図、（ｃ）は蓋ケースの下面図、（ｄ）は蓋ケースの背面図、（ｅ）は蓋ケースの左側面図、（ｆ）は蓋ケースの右側面図である。
【図５】本発明の第一実施形態に係る基板ケースの蓋ケースを示す図であり、液晶基板を装着した状態を示す蓋ケースの斜視図である。
【図６】本発明の第一実施形態に係る基板ケースのかしめ部材を示す図であり、（ａ）はかしめ部材の上面図、（ｂ）はかしめ部材の正面図、（ｃ）はかしめ部材の下面図、（ｄ）はかしめ部材の左側面図、（ｅ）はかしめ部材の右側面図、（ｆ）はかしめ部材の背面図である。
【図７】本発明の第一実施形態に係る基板ケースの本体ケースを示す図であり、（ａ）は本体ケースの上面図、（ｂ）は本体ケースの正面図、（ｃ）は本体ケースの下面図、（ｄ）は本体ケースの背面図、（ｅ）は本体ケースの左側面図、（ｆ）は本体ケースの右側面図である。
【図８】本発明の第一実施形態に係る基板ケースの蓋ケースを示す図であり、液晶基板とかしめ部材を装着した状態を示す蓋ケースの斜視図である。
【図９】本発明の第一実施形態に係る基板ケースの蓋ケースに本体ケースを装着した状態（スライド前）を示す斜視図である。
【図１０】本発明の第一実施形態に係る基板ケースの蓋ケースに本体ケースを装着した状態（スライド後）を示す斜視図である。
【図１１】本発明の第一実施形態に係る基板ケースが開封不能に封止された状態の案内部を示す断面斜視図である。
【図１２】本発明の第一実施形態に係る基板ケースが開封不能に封止された状態のかしめ部材の爪部分を示す断面斜視図である。
【図１３】本発明の第一実施形態に係る基板ケースにおいて、蓋ケースと本体ケースとを閉じ側へスライド操作させる様子を示す断面側面図である。
【図１４】図１２に示すかしめ部材及びその周辺の構成を示す拡大断面図である。
【図１５】本発明の第一実施形態に係る基板ケースの蓋ケースから切断容易部を切断した状態を示す断面斜視図である。
【図１６】本発明の第一実施形態に係る基板ケースの蓋ケースから切断容易部を切断した後、かしめ部材の爪を切断し、蓋ケースと本体ケースを開き方向に相対的にスライドさせた状態を示す断面斜視図である。
【図１７】本発明の第一実施形態に係る基板ケースが開封不能に封止された状態を示す外観斜視図である。
【図１８】本発明の第二実施形態に係る基板ケースの蓋ケースと本体ケースとかしめ部材とを並べた状態を示す斜視図である。
【図１９】本発明の第三実施形態に係る基板ケースの蓋ケースと本体ケースとかしめ部材とを並べた状態を示す斜視図である。
【発明を実施するための形態】
【００１０】
以下、本発明に係る遊技機の好ましい実施形態について、各図を参照して説明する。
【００１１】
［遊技機］
遊技に関する所定の制御を実行するプリント基板が設けられた遊技機には、スロットマシン、パチンコ機、パロット、アレンジボール、雀球機など様々な種類があるが、本実施形態では、本発明をスロットマシンに適用した場合について説明する。
【００１２】
本実施形態のスロットマシンは、複数のリールを回転させることによって遊技媒体であるメダルを獲得できる回胴式遊技機として構成されており、遊技に関する所定の制御を実行するプリント基板が、二枚のケース部材からなる基板ケースに収納された状態で、当該スロットマシンを構成する各種装置を納めた筐体の内側面や、当該スロットマシンの正面側に位置する前扉などに配置された構成となっている。
以下、本実施形態に係るスロットマシンについて詳述する。
【００１３】
図１、図２に示すように、本実施形態のスロットマシン１００は、メダル投入口１３０から実際に投入されるメダルの数（例えば、３枚）、又は内部的に記憶されたクレジットメダルからベットボタン１４０の操作によって信号形式で投入されるメダルの数（例えば、３枚）に応じてゲーム開始可能な状態となり、この状態でスタートレバー１５０が操作（始動操作）されると、複数のリール１１０（１１０ａ〜１１０ｃ）が回転を開始するとともに、それぞれのリール１１０ａ〜１１０ｃに対応する停止ボタン１６０（１６０ａ〜１６０ｃ）が押圧操作されると、スタートレバー１５０の操作タイミングで行われる抽選処理の抽選結果に応じた図柄の組合せで停止するように各リール１１０ａ〜１１０ｃが停止制御され、停止した図柄の組合せに基づいて入賞の有無が判定され、判定結果に応じてメダル払出装置１２０からメダルが払い出されるという、通常のスロットマシン遊技を実現可能な構成を備えている。
【００１４】
このようなスロットマシン遊技を実現可能なスロットマシン１００においては、遊技に関する所定の制御を実行する複数のプリント基板が、それぞれ基板ケースに収納された状態で、筐体１００ｂや前扉１００ａに設けられている。例えば、筐体１００ｂの内側面には、遊技の進行を制御する主基板を収納した基板ケース１ａと、所定の演出を制御する副基板を収納した基板ケース１ｂが設けられ、前扉１００ａの上部には、所定の画面を表示して演出する液晶表示パネル２とこの液晶表示パネル２の表示内容を制御する液晶基板３（図３参照）とを収納した基板ケース４Ａが設けられている。
【００１５】
これらのうち、基板ケース４Ａは、液晶表示パネル２を収納する本体ケース６と、液晶基板３を収納する蓋ケース５という、二枚のケース部材で構成されており（図３参照）、これら蓋ケース５と本体ケース６が相対的なスライド操作にもとづいて開閉されるとともに、閉じ側へのスライド操作によってそれら蓋ケース５と本体ケース６が重なり合うと、これら蓋ケース５と本体ケース６との間に形成された閉空間内に液晶表示パネル２及び液晶基板３が収納された状態となる。
【００１６】
このような構造を備えた基板ケース４Ａの詳細な構成について、図３〜図１７を参照しつつ説明する。
【００１７】
［基板ケースの第一実施形態］
基板ケース４Ａは、各図に示すように、矩形状のケース構造を有し、液晶基板３が固定状態で収納される蓋ケース５と、液晶表示パネル２が固定状態で収納される本体ケース６を備えており、これら蓋ケース５と本体ケース６とを重ね合わせることにより、これら蓋ケース５と本体ケース６との間に形成された内部空間内に液晶表示パネル２及び液晶基板３を収納する。
【００１８】
また、基板ケース４Ａは、蓋ケース５と本体ケース６が相対的なスライド操作によって閉状態へ移行するとともに、閉じ側へのスライド操作に応じて、蓋ケース５と本体ケース６を係止する第一の係止構造と、蓋ケース５と本体ケース６を開封不能に封止するかしめ構造を備えている。
【００１９】
第一の係止構造は、基板ケース４Ａの一方の側部である一側に設けられ、かしめ構造は、第一の係止構造と対向する基板ケース４Ａの他方の側部である他側に設けられている。これにより、基板ケース４Ａの一側及び他側では、蓋ケース５と本体ケース６が係止され、その隙間を変形させることが困難となっている。
ただし、基板ケース４Ａの一側と他側の間、すなわち、第一の係止構造やかしめ構造が形成されていない基板ケース４Ａの側部では、蓋ケース５と本体ケース６の隙間に不正工具を挿入して液晶基板３にアクセスする不正行為が発生する可能性がある。
【００２０】
そこで、本発明の第一実施形態に係る基板ケース４Ａでは、それら一側と他側の間に、閉じ側へのスライド操作に応じて、蓋ケース５と本体ケース６を係止する第二の係止構造が設けられている。このようにすると、基板ケース４Ａの一側及び他側だけでなく、基板ケース４Ａの一側と他側の間でも蓋ケース５と本体ケース６を係止させることができるので、これら蓋ケース５と本体ケース６の隙間に不正工具を挿入して液晶基板３にアクセスする不正行為を防止できる。
以下、本実施形態の蓋ケース５、この蓋ケース５に取り付けられるかしめ部材８、及び、本体ケース６の構成について、図３〜図７を参照しつつ説明する。
【００２１】
蓋ケース５は、本発明の第一ケースを構成するとともに、所定の深さを有する凹状のケース部材であって、所定の工業用樹脂などを用いて形成されている。
この蓋ケース５は、図３〜図５に示すように、矩形の板状部５４と、この矩形の板状部５４の四辺のうち対向する一対の長辺のそれぞれにおいて当該長辺に沿って立設した一対の長辺部５ａ，５ｂと、その矩形の板状部５４の四辺のうち対向する一対の短辺のそれぞれにおいて当該短辺に沿って立設した一対の短辺部５ｃ，５ｄとを備える長方形の平面視形状を有している。
【００２２】
また、蓋ケース５は、第一の係止構造を構成する蓋側第一係止部５１と、かしめ構造を構成する蓋側かしめ部５２と、第二の係止構造を構成する蓋側第二係止部５３とを備えている。
【００２３】
蓋側第一係止部５１は、蓋ケース５の一側に位置する短辺部５ｃの上端面（板状部５４からの立設方向端面）から上方（その立設方向と同じ方向）及び外方（短辺部５ｃの外側面が向く方向）に向かってΓの字状に形成された係止片５１１を備えている。この係止片５１１は、短辺部５ｃの上端面において、所定数（本実施形態においては、二つ）形成されている。
また、短辺部５ｃの外側面には、この外側面の一部（少なくとも、係止片５１１が形成された部分を含む範囲）を覆い隠すような囲い形状の覆い部５１２が形成されている。
【００２４】
蓋側かしめ部５２は、蓋ケース５の他側に位置する短辺部５ｄの外側において、板状部５４の面方向に沿ってその短辺部５ｄの外側から外方へ向かう方向に延設された板状のかしめ部材装着部５２１と、このかしめ部材装着部５２１に装着されたかしめ部材８を外方から覆い隠すような囲い形状に形成された覆い部５２２とを備えている。
【００２５】
蓋側第二係止部５３は、蓋ケース５の長辺部５ａ、５ｂの内側において板状部５４から立設された一対の板状の立設部５３１を備えている。また、この立設部５３１の一端部（当該立設部５３１の端部のうち、蓋側第一係止部５１に向いている側の端部）であって、少なくとも、長辺部５ａ、５ｂの上端面（板状部５４からの立設方向端面）よりも上方の位置に、⊂の字状（横向きＵの字状）に切り欠かれた切り欠き部５３２が形成されている。
【００２６】
また、蓋ケース５の板状部５４には、液晶基板３を取り付けるための円筒形状のボス５４１が、当該板状部５４における所定の箇所に、所定数（本実施形態においては、四つ）、立設形成されている。
このボス５４１には、立設方向端面から当該ボス５４１の内部に向かって雌ネジが形成されており、液晶基板３の取り付けが可能となっている。すなわち、板状部５４に対向するように液晶基板３を位置させるとともに、この液晶基板３に穿設された貫通孔であるネジ孔とボス５４１の雌ネジとが連通するように、当該液晶基板３を蓋ケース５の内部に挿入する。そして、液晶基板３のネジ孔にネジ３１を挿通するとともに、ボス５４１の雌ネジにそのネジ３１を螺入することで、当該液晶基板３を蓋ケース５の内部に螺着固定することができる。
【００２７】
本実施形態のかしめ部材８は、本実施形態のかしめ構造を構成する部材であって、例えば、所定の工業用樹脂などで形成することができる。
このかしめ部材８は、図６に示すように、直方体状の基部８１と、この基部８１の上面８１１又はこの近傍から直交上方に立設された板状の立設部８２と、この立設部８２の上端部を起点とし、基部８１の上面８１１の面方向に平行な方向に延出した板状の案内部８３と、基部８１のうち上面８１１を含む部分（基部８１の上面部）に形成されて、上下方向に弾性変形自在な爪８４とを備えている。
爪８４は、基部８１の上面部に形成された板状又は棒状の部分であって、その上面部に所定数（本実施形態においては、二つ）形成されている。基部８１の内部は、下面８１２に開口を有する中空状に形成されており、当該基部８１の上面部は、板状に形成されている。そして、この上面部には、基部８１の外部と当該基部８１の内部中空部とを連通する開口が当該板状の上面部の厚み方向に穿設されており、この開口の内部に爪８４が位置している。
爪８４は、板状又は棒状の一部のみが上面部（この上面部に穿設された開口の縁部）に繋がっており、他の部分は、その上面部に繋がっておらず、接触もしていない、フリーな状態となっている。このため、爪８４は、上面部と繋がった部分が固定された状態で、他の部分が上下方向に弾性変形可能となっている。
さらに、爪８４のうち、上面部に繋がった部分は、この上面部において立設部８２が立設している部分とは反対側の部分に位置している。そして、爪８４は、その上面部に繋がった部分を起点として、立設部８２に向かう方向である斜め上方向に延出した形状となっている。
【００２８】
本実施形態の本体ケース６は、本発明の第二ケースを構成するとともに、例えば、所定の工業用樹脂などで形成されており、図３及び図７に示すように、液晶表示パネル２の周縁を支持する枠部材として、平面視矩形状に形成されている。
この本体ケース６は、矩形状の枠部材の四辺のうち対向する一対の長辺にそれぞれ位置する一対の長辺部６ａ，６ｂと、矩形状の枠部材の四辺のうち対向する一対の短辺にそれぞれ位置する一対の短辺部６ｃ，６ｄを備えている。
また、本体ケース６を構成する枠部材の中央には、内部に収納される液晶表示パネル２の表示画面を外部から目視可能とするための開口部６ｅが形成されている。
【００２９】
この本体ケース６は、第一の係止構造を構成する本体側第一係止部６１と、かしめ構造を構成する本体側かしめ部６２と、第二の係止構造を構成する本体側第二係止部６３とを備えている。
【００３０】
本体側第一係止部６１は、本体ケース６の一側に位置する短辺部６ｃの板状の厚み方向に穿設された被係止孔６１１と、短辺部６ｃの外側面における被係止孔６１１の周縁から外方へ向かって延設された被係止板部６１２と、この短辺部６ｃの外側面の一部（少なくとも、被係止孔６１１及び被係止板部６１２が形成された部分を含む範囲）を覆い隠すような囲い形状の覆い部６１３とを備えている。
被係止孔６１１は、短辺部６ｃにおいて、所定数（本実施形態においては、二つ）形成されている。この被係止孔６１１の数は、蓋ケース５に形成される係止片５１１の数と同数となっており、この係止片５１１に対応する位置に形成されている。
被係止板部６１２は、短辺部６ｃの外側面において、被係止孔６１１の周縁から外方へ向かって延設した部分である。ただし、この被係止板部６１２は、被係止孔６１１の周縁から筒状に延設されていてもよく、あるいは、被係止孔６１１の周縁の一部から板状に延設されていてもよい。後者の場合は、被係止孔６１１の周縁のうち、少なくとも短辺部６ｃの上端面（当該基板ケース４Ａが閉状態にあるときに当該短辺部６ｃが蓋ケース５の短辺部５ｃに接触する面）に近い部分に形成される。
【００３１】
本体側かしめ部６２は、本体ケース６の他側に位置する短辺部６ｄに形成されている。具体的に、本体側かしめ部６２は、短辺部６ｄの外側面の一部を覆う囲い形状（蓋ケース５の蓋側かしめ部５２の覆い部５２２と同様の形状）に形成された覆い部６２８と、この覆い部６２８の中央を開口として短辺部６ｄの外側面に向かって筒状に形成された、本発明の被かしめ部を構成する案内孔６２１と、覆い部６２８の一部であって案内孔６２１の開口の近傍に位置する、本発明の係止部を構成する係止壁６２２と、この係止壁６２２の内側にリブ状に形成された変形防止部６２３とを備えている。
【００３２】
本体側第二係止部６３は、本体ケース６の長辺部６ａ、６ｂのそれぞれの内側面から当該本体ケース６の内部に向かって突出する一対の係止凸部６３１を備えている。
【００３３】
また、本体ケース６である矩形状の枠部材のうち、液晶表示パネル２の正面側に位置する液晶正面枠部６４の裏面には、所定の箇所に先端鉤状の鉤状部６４１が立設形成されている。そして、本体ケース６の内部に対向するように液晶表示パネル２を位置させるとともに、この液晶基板３を本体ケース６の内部に挿入し、この液晶表示パネル２の周縁に鉤状部６４１を係止させることで、当該液晶表示パネル２を本体ケース６の内部に装着することができる。
【００３４】
ここまで、基板ケース４Ａを構成する蓋ケース５、かしめ部材８、本体ケース６の各構造について説明したが、当該基板ケース４Ａは、蓋ケース５と本体ケース６が相対的なスライド操作を行うことで閉状態へ移行し、この閉状態にある蓋ケース５と本体ケース６の内部に液晶表示パネル２と液晶基板３とを収納し、かつ、それら蓋ケース５と本体ケース６が第一の係止構造と第二の係止構造とかしめ構造によって開封不能に封止される。
この基板ケース４Ａのスライド操作について、図８〜図１３を参照しつつ説明する。
なお、ここでは、次の項目について、順に説明する。
（１）かしめ部材８の装着
（２）蓋ケース５と本体ケース６とのスライド操作
【００３５】
（１）かしめ部材８の装着
蓋ケース５のかしめ部材装着部５２１に対して、かしめ部材８を装着する。
まず、蓋ケース５のかしめ部材装着部５２１と、かしめ部材８の基部８１の下面８１２とを対向させるような向きで、当該かしめ部材８を位置させる。
次に、かしめ部材８の基部８１の下面８１２に凹設されたボス嵌合穴８１３（図６参照）に対して、蓋ケース５のかしめ部材装着部５２１に立設されたボス５２３（図４参照）を嵌入させる。
【００３６】
かしめ部材８の基部８１の下面８１２が蓋ケース５のかしめ部材装着部５２１に接触するところまで、当該かしめ部材８を押し込む。そして、かしめ部材８の基部８１の下面８１２が蓋ケース５のかしめ部材装着部５２１に接触したときに、その押し込みを終了する。
続いて、かしめ部材８の基部８１の上面８１１からボス嵌合穴８１３に向かって穿設された貫通孔であるネジ孔８１４に固定部材であるネジを挿入する。さらに、このネジを、当該かしめ部材８のボス嵌合穴８１３に嵌入している蓋ケース５のかしめ部材装着部５２１のボス５２３に形成された雌ネジに螺入する。これにより、かしめ部材８を蓋ケース５のかしめ部材装着部５２１に螺着固定する。
以上の手順にしたがうことにより、かしめ部材８を蓋ケース５のかしめ部材装着部５２１に装着することができる（図８参照）。
また、このように蓋ケース５のかしめ部材装着部５２１に装着されたかしめ部材８においては、立設部８２が蓋ケース５の覆い部５２２の直上に位置し、案内部８３がその覆い部５２２の上方から蓋ケース５の内部に向かう方向に延出している。さらに、爪８４は、かしめ部材８の基部８１の上面８１１部分において、蓋ケース５の覆い部５２２の位置する側とは反対側から当該かしめ部材８の立設部８２に向かう方向である斜め上方向に向かって延出した形状となっており、この爪８４の先端が立設部８２の内側面の近傍に達している。
【００３７】
（２）蓋ケース５と本体ケース６とのスライド操作
かしめ部材８が装着された蓋ケース５と、本体ケース６とを、対向配置する。このとき、蓋ケース５において液晶基板３が挿入された側の面である収納面（板状部５４が形成された側とは反対側の開口を有する面）と、本体ケース６において液晶表示パネル２が挿入された側の面である収納面（開口部６ｅが形成された側とは反対側の開口を有する面）とが対向するように配置する。
【００３８】
次に、これら蓋ケース５と本体ケース６とを重ね合わせる（図９参照）。このとき、蓋ケース５の長辺部５ｂの上端面と本体ケース６の長辺部６ａの上端面とを接触させ、蓋ケース５の長辺部５ａの上端面と本体ケース６の長辺部６ｂの上端面とを接触させるようにする。また、本体ケース６の短辺部６ｄは、蓋ケース５における液晶基板３の収納面の上方に位置するようにし、本体ケース６の短辺部６ｃは、蓋ケース５に対向しない箇所に位置するようする。
これにより、本体ケース６は、蓋ケース５に対して、この蓋ケース５の長辺部５ａ、５ｂの長手方向に位置をずらした状態で、この蓋ケース５の上に重ねられ、蓋ケース５に装着されたかしめ部材８の上方は、開放した状態となる。
また、蓋ケース５に蓋側第二係止部５３として設けられている一対の立設部５３１が、本体ケース６の内部に入り込み、本体ケース６の長辺部６ａ、６ｂの内側面に沿うので、蓋ケース５に対する本体ケース６の位置が規定される。
【００３９】
続いて、本体ケース６を閉じ側、すなわち、蓋ケース５と完全に重なり合う方向（蓋ケース５の長辺部５ａ、５ｂの長手方向）にスライド操作する。このとき、本実施形態では、蓋ケース５の立設部５３１による案内を受けつつ、本体ケース６をスライド操作することができる。
【００４０】
本体ケース６の閉じ側へのスライド操作に応じて、蓋ケース５の長辺部５ａ、５ｂの上端面と本体ケース６の長辺部６ａ、６ｂの上端面が接触した状態で相対する方向に摺動し、本体ケース６の本体側かしめ部６２がかしめ部材８の近傍に到達すると、かしめ部材８の案内部８３が本体側かしめ部６２の案内孔６２１への嵌入を開始し、本体側かしめ部６２を所定の係止位置（基板ケース４Ａが閉状態となったときに当該本体側かしめ部６２が到達する位置）へスライド案内する（図１３（ｉ）参照）。
【００４１】
かしめ部材８の案内部８３が本体側かしめ部６２の案内孔６２１への嵌入を開始した後、さらに本体ケース６を閉じ側へスライド操作すると、蓋ケース５の蓋側第一係止部５１に形成された係止片５１１が、本体ケース６の本体側第一係止部６１に形成された被係止孔６１１への嵌入を開始し、本体側第一係止部６１を所定の係止位置（基板ケース４Ａが閉状態となったときに当該本体側第一係止部６１が到達する位置）へスライド案内する（図１３（ii）参照）。
【００４２】
さらに、本体ケース６の本体側かしめ部６２に形成された係止壁６２２が、かしめ部材８の基部８１の上面８１１上を進行し、かしめ部材８の爪８４に接触すると、この爪８４を下方に押し下げる方向へ弾性変形させながら、さらに閉じ側へ進行する。そして、係止壁６２２が爪８４の先端から先へ進行すると、爪８４は、係止壁６２２からの押圧が除荷されて上方に弾性復帰して元の形状に戻るとともに、この爪８４の先端が係止壁６２２の裏側に接触又は近接して、当該係止壁６２２に係止する。
また、係止壁６２２は、この係止壁６２２の外側面がかしめ部材８の立設部８２の内側面に接触することから、これ以上の進行が制限される。これにより、この係止壁６２２を含む本体ケース６の本体側かしめ部６２は、所定の係止位置（基板ケース４Ａが閉状態となったときに当該本体側かしめ部６２が到達する位置）である閉状態到達位置に到達する。
【００４３】
また、このようにかしめ部材８の爪８４が本体ケース６の係止壁６２２に係止する前後においては、本体ケース６の本体側第二係止部６３に形成された係止凸部６３１が、蓋ケース５の蓋側第二係止部５３に形成された切り欠き部５３２に係合する（図１３（iii）参照）。
そして、蓋ケース５の短辺部５ｃの上端面と本体ケース６の短辺部６ｃの上端面が接触し、蓋ケース５の短辺部５ｄの上端面と本体ケース６の短辺部６ｄの上端面が接触することにより、これら蓋ケース５と本体ケース６との間に閉空間が形成され、この閉空間内に、液晶表示パネル２と液晶基板３が収納された状態となる。
【００４４】
このような手順でスライド操作が実行されて蓋ケース５と本体ケース６が完全に重なり合った状態にある基板ケース４Ａにおいては、それら蓋ケース５と本体ケース６が開封不能に封止された状態となっている。
具体的には、例えば、かしめ構造において、かしめ部材８の案内部８３が本体ケース６の案内孔６２１に深く嵌入しており、本体ケース６を蓋ケース５から離間させようとしても、かしめ部材８の案内部８３が本体側かしめ部６２の案内孔６２１の内部に当接するので、その離間が不能となっている。これにより、蓋ケース５と本体ケース６との離間方向の相対的な変位が規制される。
また、第一の係止構造において、蓋ケース５の係止片５１１が本体ケース６の被係止孔６１１に深く嵌入しており、本体ケース６を蓋ケース５から離間させようとしても、蓋ケース５の係止片５１１が本体ケース６の被係止板部６１２に当接するので、その離間が不能となっている。これにより、蓋ケース５と本体ケース６との離間方向の相対的な変位が規制される。
【００４５】
さらに、第二の係止構造において、本体ケース６の係止凸部６３１が蓋ケース５の切り欠き部５３２に係合しており、本体ケース６を蓋ケース５から離間させようとしても、蓋本体ケース６の係止凸部６３１が蓋ケース５の切り欠き部５３２に当接するので、その離間が不能となっている。これにより、蓋ケース５と本体ケース６との離間方向の相対的な変位が規制される。
そして、かしめ構造において、かしめ部材８の爪８４が本体ケース６の係止壁６２２に係止しており、本体ケース６と蓋ケース５とを開き側へスライド操作を行おうとしても、かしめ部材８の爪８４が本体ケース６の係止壁６２２に当接するので、そのスライド操作が不能となっている。これにより、蓋ケース５と本体ケース６との開き側へスライド操作が規制される。
このように、閉状態にある基板ケース４Ａにおいては、かしめ構造、第一の係止構造、第二の係止構造が、いずれも係止状態となっているため、蓋ケース５と本体ケース６の離間方向の相対的な変位と開き側へスライド操作が規制されるので、当該基板ケース４Ａが開封不能な状態となっている。
【００４６】
このような構造を備えた本実施形態の基板ケース４Ａは、以下に説明する優れた特徴を備えている。この基板ケース４Ａが備える優れた特徴について、順に説明する。
【００４７】
（ａ）基板ケース４Ａの一側と他側との間に、第二の係止構造が形成されていること
基板ケース４Ａにおいては、一側に第一の係止構造が形成され、他側にかしめ構造が形成され、これら一側と他側との間である蓋ケース５の長辺部５ａ、５ｂと本体ケース６の長辺部６ａ、６ｂに第二の係止構造が形成されている。これにより、これら蓋ケース５の長辺部５ａ、５ｂと本体ケース６の長辺部６ａ、６ｂとの隙間に不正工具を挿入して液晶基板３等にアクセスする不正行為を防止できる。
【００４８】
（ｂ）基板ケース４Ａの一側である一方の短辺側に第一の係止構造が形成され、基板ケース４Ａの他側である他方の短辺側にかしめ構造が形成されていること
基板ケース４Ａにおいては、当該基板ケース４Ａの一側である蓋ケース５の短辺部５ｃと本体ケース６の短辺部６ｃに第一の係止構造が形成され、当該基板ケース４Ａの他側である蓋ケース５の短辺部５ｄと本体ケース６の短辺部６ｄにかしめ構造が形成されている。
これにより、当該基板ケース４Ａにおける一対の短辺側のそれぞれにおいては、蓋ケース５の短辺部５ｃ、５ｄと本体ケース６の短辺部６ｃ、６ｄとの隙間に不正工具を挿入して液晶基板３等にアクセスする不正行為を防止できる。
また、当該基板ケース４Ａの長辺側においては、この長辺側の両端に位置する当該基板ケース４Ａの短辺側において、第一の係止構造とかしめ構造が形成されているので、その長辺側における蓋ケース５の長辺部５ａ、５ｂと本体ケース６の長辺部６ａ、６ｂにおいて撓みが生じにくい状態となっている。これにより、この隙間に不正工具を挿入して液晶基板３等にアクセスする不正行為を防止できる。
【００４９】
（ｃ）蓋ケース５と本体ケース６との相対的なスライド操作に際して、まず、かしめ部材８の案内部８３が本体ケース６の案内孔６２１に係止を開始し、その後に、蓋ケース５の係止片５１１が本体ケース６の被係止孔６１１に係止を開始し、その後に、本体ケース６の係止凸部６３１が蓋ケース５の切り欠き部５３２に係合すること
【００５０】
開封状態にある蓋ケース５と本体ケース６とを相対的にスライド操作させて封止状態にするときの当該スライド操作の過程においては、図１３（ｉ）〜（iii）に示すように、まず、かしめ部材８の案内部８３が本体ケース６の案内孔６２１への嵌入を開始し（図１３（ｉ））、その案内部８３が案内孔６２１にある程度進入した後に、蓋ケース５の蓋側第一係止部５１に形成された係止片５１１が、本体ケース６の本体側第一係止部６１に形成された被係止孔６１１への嵌入を開始する（図１３（ii））。そして、かしめ部材８の爪８４が本体ケース６の係止壁６２２に係止する前後に、本体ケース６の本体側第二係止部６３に形成された係止凸部６３１が、蓋ケース５の蓋側第二係止部５３に形成された切り欠き部５３２に係合する（図１３（iii））。
このように、蓋ケース５と本体ケース６とのスライド操作においては、最初に、かしめ部材８の案内部８３が本体側かしめ部６２の案内孔６２１に嵌入を開始するので、この本体側かしめ部６２の案内孔６２１によるかしめ部材８の案内部８３のスライド案内を利用して、本体ケース６の被係止孔６１１に対する蓋ケース５の係止片５１１の位置決めや、蓋ケース５の切り欠き部５３２に対する本体ケース６の係止凸部６３１の位置決めを行うことができる。そして、このように位置決めされた本体ケース６の被係止孔６１１に対する蓋ケース５の係止片５１１の嵌入や、蓋ケース５の切り欠き部５３２に対する本体ケース６の係止凸部６３１の係合をスムースに行うことができる。
【００５１】
（ｄ）基板ケース４Ａの閉状態において、かしめ部材８の爪８４が、本体ケース６の係止壁６２２に係止していること
これにより、本体ケース６及び蓋ケース５の開き方向へスライド操作を規制し、かつ、これら本体ケース６と蓋ケース５とを開封不能に封止している。具体的には、図１２、図１４に示すように、基板ケース４Ａの閉状態において、かしめ部材８の爪８４が、傾斜姿勢で本体側かしめ部６２の係止壁６２２に係止している。これにより、本体ケース６又は蓋ケース５が開き方向へスライド操作されて、この本体ケース６の係止壁６２２が図１４に示す（ａ）の方向へ移動しようとしても、かしめ部材８の爪８４の先端がその係止壁６２２に当接するので、その本体ケース６及び蓋ケース５の開き方向へスライド操作が規制される。よって、それら本体ケース６及び蓋ケース５とを開封不能に封止することができる。
【００５２】
（ｅ）かしめ部材８の爪８４の変形を防止する変形防止部６２３を本体ケース６に設けたこと
上述したように、本体ケース６又は蓋ケース５を開き方向へスライド操作しようとすると、かしめ部材８の爪８４の先端が本体ケース６の係止壁６２２に当接するので、そのスライド操作が規制される。ところが、本体ケース６又は蓋ケース５を開き方向に無理やりスライド操作させた場合には、かしめ部材８の爪８４が本体ケース６の係止壁６２２からの押圧を受けて弾性変形するので、不正に開封される惧れがある。そこで、このような不正開封が発生した場合でも、本体ケース６の本体側かしめ部６２に形成された変形防止部６２３によってその不正開封を防止できるようになっている。
すなわち、かしめ部材８の爪８４は、傾斜姿勢で本体側かしめ部６２の係止壁６２２を係止しているので、本体ケース６の係止壁６２２からの押圧を受けると、その爪８４が傾斜方向、すなわち、図１４に示す（ｂ）の方向へ弾性変形し、その（ｂ）方向に位置している変形防止部６２３に当接するので、それ以上の爪８４の弾性変形が規制される。これにより、本体ケース６又は蓋ケース５を開き方向に無理やりスライド操作させた場合でも、かしめ部材８の爪８４が係止壁６２２又は変形防止部６２３に当接し続けるので、そのスライド操作が不能となる。よって、不正な開封を防止することができる。
【００５３】
（ｆ）液晶表示パネル２と液晶基板３とを接続する配線７を短くできること
液晶表示パネル２と液晶基板３は、図３に示すように、所定の配線７を介して電気的に接続されている。具体的には、配線７の一方の端部が、液晶表示パネル２に実装されたコネクタ７１に接続され、配線７の他方の端部が、液晶基板３に実装されたコネクタ７１に接続されている。
また、液晶表示パネル２と液晶基板３は、基板ケース４Ａの内部では、至近距離で平行に配置される。さらに、開状態にある蓋ケース５と本体ケース６とをスライド操作して閉状態にするときには、液晶表示パネル２と液晶基板３は、蓋ケース５と本体ケース６との間で、至近距離で平行に配置された状態で、相対的に平行移動する。
このように、液晶表示パネル２と液晶基板３は、至近距離で配置されることから、これら液晶表示パネル２と液晶基板３とを接続する配線７の長さを短くすることができる。そして、このように配線７を短くできるので、本体ケース６と蓋ケース５との間で配線７を挟む可能性を低減させることができる。
【００５４】
（ｇ）蓋ケース５と本体ケース６の大きさを小さくできること
蓋ケース５と本体ケース６が閉状態にあるとき、蓋ケース５の長辺部５ａと本体ケース６の長辺部６ｂ、蓋ケース５の長辺部５ｂと本体ケース６の長辺部６ａ、蓋ケース５の短辺部５ｃと本体ケース６の短辺部６ｃ、蓋ケース５の短辺部５ｄと本体ケース６の短辺部６ｄは、それぞれの上端面同士が接触した状態となっている。つまり、本体ケース６の長辺部６ａ、６ｂは、蓋ケース５の長辺部５ｂ、５ａの厚み方向内側又は厚み方向外側に重なり合っておらず、また、本体ケース６の短辺部６ｃ、６ｄは、蓋ケース５の短辺部５ｃ、５ｄの厚み方向内側又は厚み方向外側に重なり合っているわけではない。
また、基板ケース４Ａの厚み（基板ケース４Ａが閉状態にあるときの蓋ケース５の板状部５４と本体ケース６の液晶正面枠部６４との間隔）は、液晶表示パネル２と液晶基板３を収納可能な厚みであればよい。
【００５５】
このため、本体ケース６の長辺部６ａ、６ｂの幅（液晶正面枠部６４からの高さ）は、蓋ケース５の長辺部５ｂ、５ａの厚み方向内側又は厚み方向外側に重ならない分だけ短くすることができる。また、本体ケース６の短辺部６ｃ、６ｄの幅（液晶正面枠部６４からの高さ）は、蓋ケース５の短辺部５ｃ、５ｄの厚み方向内側又は厚み方向外側に重ならない分だけ短くすることができる。さらに、蓋ケース５の長辺部５ｂ、５ａの幅（板状部５４からの高さ）は、本体ケース６の長辺部６ａ、６ｂの厚み方向内側又は厚み方向外側に重ならない分だけ短くすることができる。しかも、蓋ケース５の短辺部５ｃ、５ｄの幅（板状部５４からの高さ）は、本体ケース６の短辺部６ｃ、６ｄの厚み方向内側又は厚み方向外側に重ならない分だけ短くすることができる。
これにより、蓋ケース５と本体ケース６の大きさを小さくコンパクトにすることができる。
【００５６】
なお、蓋ケース５の蓋側かしめ部５２には、かしめ部材装着部５２１の周囲に覆い部５２２が形成されているため、そのかしめ部材装着部５２１に装着されたかしめ部材８の基部８１に対する外部からのアクセスが不能となっている。
これにより、かしめ部材８に螺着されたネジを外してかしめ部材８を脱離させて液晶基板３にアクセスするなどの不正行為を防止できる。
【００５７】
次に、閉状態にある基板ケース４Ａを正規に開封する場合の手順について、図１５及び図１６を参照しつつ説明する。
基板ケース４Ａは、液晶基板３等に対する不正なアクセスを防止するために、この液晶基板３等を内部に収納する構造となっている。ただし、メンテナンスなどのために液晶基板３等を取り出す等の必要が生じたときは、蓋ケース５に形成された切断可能な切断容易部５２４を切断又は破壊することにより、蓋ケース５と本体ケース６とを開封できるようになっている。
【００５８】
切断容易部５２４には、蓋ケース５のかしめ部材装着部５２１との接続部分に複数の開口が形成されている。そこで、この基板ケース４Ａを正規に開封する場合は、まず、図１５に示すように、基板ケース４Ａの蓋ケース５からニッパなどの工具を用いて切断容易部５２４を切断・除去する。
切断容易部５２４を切断・除去すると、蓋ケース５の当該部分に開口が形成され、この開口を介してケース外部からかしめ部材８の爪８４に対するアクセスが可能になる。
そして、この開口からニッパなどの工具を挿入し、爪８４を切断する。これにより、この爪８４による係止壁６２２への係止を解除することができる。
また、その開口からフック状の道具を挿入して爪８４に引っ掛け、爪８４を下方に引っ張って当該爪８４を破損させる。これにより、爪８４による係止壁６２２への係止を解除することができる。
【００５９】
爪８４による係止壁６２２への係止を解除した後、図１６に示すように、蓋ケース５と本体ケース６を開き方向に相対的にスライドさせる。
これにより、基板ケース４Ａを正規に開封することができる。そして、内部に収納された液晶基板３等に対するアクセスが可能になる。
【００６０】
次に、スロットマシン１００に対する基板ケース４Ａの取付について、図２及び図１７を参照しつつ説明する。
図２は、閉状態にある基板ケース４Ａが前扉１００ａの背面に取り付けられた状態のスロットマシン１００の内部構成を示す斜視図である。また、図１７は、その閉状態にある基板ケース４Ａの外観斜視図である。
【００６１】
閉状態にある基板ケース４Ａをスロットマシン１００の前扉１００ａの背面に取り付けるときには（図２参照）、液晶表示パネル２が収納された本体ケース６を前扉１００ａの背面に正対し、蓋ケース５をその前扉１００ａの背面とは反対側に向くようにしながら、当該基板ケース４Ａをその前扉１００ａの背面に取り付けるようにする。
このように前扉１００ａの背面に取り付けられた基板ケース４Ａは、図１７に示すように、切断容易部５２４が当該基板ケース４Ａの表側に位置するようになる。
【００６２】
切断容易部５２４は、一度切断又は破壊すると、簡単には修復できないので、不正に切断又は破壊されたときには、その痕跡を切断痕又は破壊痕として残すことができる。
また、スロットマシン１００の前扉１００ａを開いた状態においては、基板ケース４Ａの切断容易部５２４が当該基板ケース４Ａの表側に位置しており、容易に視認可能なため、この切断容易部５２４が不正に切断されたことを、その切断痕の有無によって確認することができ、不正行為の発生を確実に発見できる。
【００６３】
［基板ケースの第二実施形態］
次に、本発明の基板ケースの第二実施形態について、図１８を参照して説明する。
図１８は、本実施形態の基板ケースの構成を示す外観斜視図である。
本実施形態は、第一実施形態と比較して、基板ケースにおけるかしめ構造、第一の係止構造、第二の係止構造の配置位置が相違する。すなわち、第一実施形態では、基板ケースの一方の短辺部にかしめ構造を配置し、他方の短辺部に第一の係止構造を配置し、長辺部に第二の係止構造に配置する構成としたのに対し、本実施形態では、基板ケースの一方の長辺部にかしめ構造を配置し、他方の長辺部に第一の係止構造を配置し、短辺部に第二の係止構造に配置する構成となっている。他の構成要素は第一実施形態と同様である。
したがって、図１８において、図１等と同様の構成部分については同一の符号を付して、その詳細な説明を省略する。
【００６４】
図１８に示すように、本実施形態の基板ケース４Ｂは、蓋ケース５の長辺部５ｂと本体ケース６の長辺部６ｂに第一の係止構造を形成し、蓋ケース５の長辺部５ａと本体ケース６の長辺部６ａにかしめ構造を形成し、蓋ケース５の短辺部５ｃ、５ｄと本体ケース６の短辺部６ｃ、６ｄに第二の係止構造を形成する構成となっている。
【００６５】
具体的に、蓋ケース５は、本発明の第一ケースを構成するとともに、蓋側第一係止部５１として、長辺部５ｂの上端面又はこの近傍から立設した係止片５１１が形成され、長辺部５ｂの外側には、この長辺部５ｂの外側面の一部（少なくとも係止片５１１が形成されている部分）を覆う覆い部５１２が形成されている。
また、蓋ケース５の長辺部５ａには、蓋側かしめ部５２として、板状に延出したかしめ部材装着部５２１が形成され、このかしめ部材装着部５２１の上面に、かしめ部材８を固定するためのボス５２３が立設形成され、このかしめ部材装着部５２１を覆うように囲い形状の覆い部５２２が形成され、かしめ部材装着部５２１にかしめ部材８が装着されたときの当該かしめ部材８の爪８４の下方には、切断可能な切断容易部５２４が形成されている。
さらに、蓋ケース５の短辺部５ｃ、５ｄの内側には、蓋側第二係止部５３として、板状部５４から立設した立設部５３１と、この立設部５３１の一端部（長辺部５ｂに向かう側の端部）に⊂の字状（横向きＵの字状）に切り欠かれた切り欠き部５３２が形成されている。
【００６６】
一方、本体ケース６は、本発明の第二ケースを構成するとともに、長辺部６ｂの外側に、本体側第一係止部６１として、蓋ケース５の係止片５１１が嵌入する被係止孔６１１と、この被係止孔６１１の周縁から直交外方に延設した被係止板部６１２と、これら被係止孔６１１と被係止板部６１２とを覆う覆い部６１３が形成されている。
また、本体ケース６の長辺部６ａには、本体側かしめ部６２として、かしめ部材８の案内部８３が嵌入する案内孔６２１と、かしめ部材８の爪８４が係止する係止壁６２２と、かしめ部材８の爪８４の変形を防止する変形防止部６２３が形成されている。
さらに、本体ケース６の短辺部６ｃ、６ｄのそれぞれの内側面には、本体側第二係止部６３として、凸状の係止凸部６３１が形成されている。
【００６７】
かしめ部材８は、図６に示した形状と同様の形状とすることができ、直方体状の基部８１と、この基部８１の上面８１１又はこの近傍から立設した立設部８２と、この立設部８２の立設方向端部から基部８１の上面８１１に沿った方向へ延出した案内部８３とを備えている。また、かしめ部材８の基部８１の上面８１１には、傾斜状に突出し、上下方向に弾性変形可能な爪８４が形成されている。
【００６８】
このような構成を備えた基板ケース４Ｂにおいては、蓋ケース５のかしめ部材装着部５２１にかしめ部材８が装着された後、本体ケース６と蓋ケース５との相対的なスライド操作によって閉状態に移行し、それら本体ケース６と蓋ケース５とが完全に重なり合った状態で、液晶表示パネル２と液晶基板３とを内部に収納しつつ開封不能に封止する封止状態となる。
この閉状態においては、かしめ部材８の案内部８３が本体ケース６の案内孔６２１に深く嵌入し、蓋ケース５の係止片５１１が本体ケース６の被係止孔６１１に深く嵌入し、本体ケース６の係止凸部６３１が蓋ケース５の切り欠き部５３２に係合しているため、蓋ケース５と本体ケース６は、離間方向の相対的な変位が規制される。
【００６９】
また、本実施形態の基板ケース４Ｂは、第一実施形態の基板ケース４Ａが有する特徴（既述した（ａ）〜（ｇ）の特徴）と同様の特徴を備えている。
例えば、基板ケース４Ｂにおいては、当該基板ケース４Ｂの一側に第一の係止構造が形成され、当該基板ケース４Ｂの他側にかしめ構造が形成され、これら一側と他側との間に第二の係止構造が形成されている。これにより、これら一側と他側との間に位置する蓋ケース５と本体ケース６との間の隙間に不正工具を挿入して液晶基板３等にアクセスする不正行為を防止できる。
【００７０】
さらに、基板ケース４Ｂにおいては、当該基板ケース４Ｂの一側である蓋ケース５の長辺部５ｂと本体ケース６の長辺部６ｂに第一の係止構造が形成され、当該基板ケース４Ｂの他側である蓋ケース５の長辺部５ａと本体ケース６の長辺部６ａにかしめ構造が形成されている。
これにより、当該基板ケース４Ｂにおける一対の長辺側のそれぞれにおいては、蓋ケース５の長辺部５ａ、５ｂと本体ケース６の長辺部６ａ、６ｂとの隙間に不正工具を挿入して液晶基板３等にアクセスする不正行為を防止できる。
また、当該基板ケース４Ｂの短辺側においては、この短辺側の両端に位置する当該基板ケース４Ｂの長辺側において、第一の係止構造とかしめ構造が形成されているので、その短辺側における蓋ケース５の短辺部５ｃ、５ｄと本体ケース６の短辺部６ｃ、６ｄにおいて撓みが生じにくい状態となっている。これにより、この隙間に不正工具を挿入して液晶基板３等にアクセスする不正行為を防止できる。
【００７１】
また、蓋ケース５と本体ケース６との閉じ側への相対的なスライド操作に際して、まず、かしめ部材８の案内部８３が本体ケース６の案内孔６２１への係止を開始し、その後に、蓋ケース５の係止片５１１が本体ケース６の被係止孔６１１への係止を開始し、その後に、本体ケース６の係止凸部６３１が蓋ケース５の切り欠き部５３２に係合する。
このため、そのかしめ部材８の案内部８３による本体側かしめ部６２の案内孔６２１のスライド案内を利用して、本体ケース６の被係止孔６１１に対する蓋ケース５の係止片５１１の位置決めや、蓋ケース５の切り欠き部５３２に対する本体ケース６の係止凸部６３１の位置決めを行うことができる。そして、このように位置決めされた本体ケース６の被係止孔６１１に対する蓋ケース５の係止片５１１の嵌入や、蓋ケース５の切り欠き部５３２に対する本体ケース６の係止凸部６３１の係合をスムースに行うことができる。
【００７２】
さらに、基板ケース４Ｂの閉状態において、かしめ部材８の爪８４が、本体ケース６の係止壁６２２に係止していることから、本体ケース６及び蓋ケース５の開き方向へスライド操作を規制し、かつ、これら本体ケース６と蓋ケース５とを開封不能に封止している。
【００７３】
しかも、本体ケース６の本体側かしめ部６２には、かしめ部材８の爪８４の変形を防止する変形防止部６２３を設けてある。これにより、本体ケース６又は蓋ケース５を開き方向に無理やりスライド操作させた場合でも、かしめ部材８の爪８４が弾性変形して変形防止部６２３に当接するので、それ以上の爪８４の弾性変形が規制される。そして、さらに本体ケース６又は蓋ケース５を開き方向に強制的にスライド操作させた場合でも、かしめ部材８の爪８４が係止壁６２２又は変形防止部６２３に当接し続けるので、そのスライド操作が不能となる。これにより、不正な開封を防止できる。
【００７４】
また、閉状態にある基板ケース４Ｂの内部では、液晶表示パネル２と液晶基板３が至近距離で平行に配置され、さらに、開状態にある蓋ケース５と本体ケース６とをスライド操作して閉状態にするときには、液晶表示パネル２と液晶基板３が至近距離で平行に配置された状態で、相対的に平行移動する。
このように、液晶表示パネル２と液晶基板３は、至近距離で配置されることから、これら液晶表示パネル２と液晶基板３とを接続する配線７の長さを短くすることができる。そして、このように配線７を短くできるので、本体ケース６と蓋ケース５との間で配線７を挟む可能性を低減させることができる。
【００７５】
さらに、蓋ケース５と本体ケース６が閉状態にあるとき、本体ケース６の長辺部６ａ、６ｂは、蓋ケース５の長辺部５ａ、５ｂの厚み方向内側又は厚み方向外側に重なり合っておらず、また、本体ケース６の短辺部６ｃ、６ｄは、蓋ケース５の短辺部５ｃ、５ｄの厚み方向内側又は厚み方向外側に重なり合っていない。
このため、本体ケース６の長辺部６ａ、６ｂの幅（液晶正面枠部６４からの高さ）は、蓋ケース５の長辺部５ａ、５ｂの厚み方向内側又は厚み方向外側に重ならない分だけ短くすることができる。また、本体ケース６の短辺部６ｃ、６ｄの幅（液晶正面枠部６４からの高さ）は、蓋ケース５の短辺部５ｃ、５ｄの厚み方向内側又は厚み方向外側に重ならない分だけ短くすることができる。さらに、蓋ケース５の長辺部５ａ、５ｂの幅（板状部５４からの高さ）は、本体ケース６の長辺部６ａ、６ｂの厚み方向内側又は厚み方向外側に重ならない分だけ短くすることができる。しかも、蓋ケース５の短辺部５ｃ、５ｄの幅（板状部５４からの高さ）は、本体ケース６の短辺部６ｃ、６ｄの厚み方向内側又は厚み方向外側に重ならない分だけ短くすることができる。
これにより、蓋ケース５と本体ケース６の大きさを小さくコンパクトにすることができる。
【００７６】
また、図１８に示す基板ケース４Ｂにおいては、切断容易部５２４が蓋ケース５に設けられている。このため、メンテナンス等により液晶基板３の取り替えなどが必要なときには、その切断容易部５２４を切断し、かしめ部材８の爪８４による本体ケース６の係止壁６２２への係止を解除することにより、本体ケース６と蓋ケース５とを開封することができ、液晶基板３の取り替え等を行うことができる。
さらに、この切断容易部５２４が不正に切断されたときには、その痕跡を残すことができる。しかも、当該基板ケース４Ｂがスロットマシン１００の前扉１００ａの背面に取り付けられたときは、第一実施形態の基板ケース４Ａと同様に、スロットマシン１００の前扉１００ａを開扉したときに、切断容易部５２４が基板ケース４Ｂの表面側に位置しているので、この切断痕の有無を容易に確認することができ、不正行為の発生を確実に発見できる。
【００７７】
［基板ケースの第三実施形態］
次に、本発明の基板ケースの第三実施形態について、図１９を参照して説明する。
図１９は、本実施形態の基板ケースの構成を示す外観斜視図である。
本実施形態は、第一実施形態と比較して、かしめ部材を装着する構成が相違する。すなわち、第一実施形態では、かしめ部材を蓋ケースに装着する構成としたのに対し、本実施形態では、かしめ部材を本体ケースに装着する構成となっている。また、これに合わせて、本実施形態では、かしめ部材装着部、切断容易部、係止片などを本体ケースに配置し、案内孔、係止壁、変形防止部などを蓋ケースに配置した構成となっている。他の構成要素は第一実施形態と同様である。
したがって、図１９において、図１等と同様の構成部分については同一の符号を付して、その詳細な説明を省略する。
【００７８】
図１９に示すように、本実施形態の基板ケース４Ｃは、液晶基板３が挿入される蓋ケース５と、液晶表示パネル２が挿入される本体ケース６とを備えており、蓋ケース５と本体ケース６が相対的なスライド操作を行うことで閉状態へ移行し、この閉状態にある蓋ケース５と本体ケース６の内部に液晶表示パネル２と液晶基板３とを収納し、かつ、それら蓋ケース５と本体ケース６が第一の係止構造と第二の係止構造とかしめ構造によって開封不能に封止される構造となっている。
【００７９】
ここで、本体ケース６は、本発明の第二ケースを構成するとともに、本体側かしめ部６２として、短辺部６ｄの外側にかしめ部材装着部６２４が形成され、このかしめ部材装着部６２４の上面に、かしめ部材８を固定するためのボス６２６が立設形成され、このかしめ部材装着部６２４を覆うように囲い形状の覆い部６２５が形成され、かしめ部材装着部６２４にかしめ部材８が装着されたときの当該かしめ部材８の爪８４の下方には、切断可能な切断容易部６２７が形成されている。
また、本体ケース６の短辺部６ｃには、本体側第一係止部６１として、短辺部６ｃの上端面又はこの近傍からΓの字状に立設した係止片６１４が形成され、短辺部６ｃの外側には、この短辺部６ｃの外側面の一部（少なくとも、係止片６１４が形成された部分）を覆う覆い部６１５が形成されている。
さらに、本体ケース６の長辺部６ａ、６ｂの内側には、本体側第二係止部６３として、液晶正面枠部（液晶表示パネル２の正面側に位置する枠部、図１９において図示せず）から立設した立設部６３２と、この立設部６３２の一端部（短辺部６ｄに向かう側の端部）に⊂の字状（横向きＵの字状）に切り欠かれた切り欠き部６３３が形成されている。
【００８０】
かしめ部材８は、図６に示した形状と同様の形状とすることができ、直方体状の基部８１と、この基部８１の上面８１１又はこの近傍から直交上方に立設した立設部８２と、この立設部８２の立設方向端部から基部８１の上面８１１に沿った方向へ延出した案内部８３とを備えている。また、かしめ部材８の基部８１の上面８１１には、傾斜状に突出し、上下方向に弾性変形可能な爪８４が形成されている。
【００８１】
一方、蓋ケース５は、本発明の第一ケースを構成するとともに、短辺部５ｄの外側に、蓋側かしめ部５２として、かしめ部材８の案内部８３が嵌入するとともに、本発明の被かしめ部を構成する案内孔５２５と、かしめ部材８の爪８４が係止するとともに、本発明の係止部を構成する係止壁５２６と、かしめ部材８の爪８４の変形を防止する変形防止部５２７が形成されている。
また、蓋ケース５の短辺部５ｃには、蓋側第一係止部５１として、本体ケース６の係止片６１４が嵌入する被係止孔５１３と、この被係止孔５１３の周縁から直交外方に延設された被係止板部５１４と、これら被係止孔５１３と被係止板部５１４とを覆う覆い部５１５が形成されている。
さらに、蓋ケース５の長辺部５ａ、５ｂのそれぞれの内側面には、蓋側第二係止部５３として、凸状の係止凸部５３３が形成されている。
【００８２】
このような構成を備えた基板ケース４Ｃにおいては、本体ケース６のかしめ部材装着部６２４にかしめ部材８が装着された後、本体ケース６と蓋ケース５との相対的なスライド操作によって閉状態に移行し、それら本体ケース６と蓋ケース５とが完全に重なり合った状態で、液晶表示パネル２と液晶基板３とを内部に収納しつつ開封不能に封止する封止状態となる。
この閉状態においては、かしめ部材８の案内部８３が蓋ケース５の案内孔５２５に深く嵌入し、本体ケース６の係止片６１４が蓋ケース５の被係止孔５１３に深く嵌入し、蓋ケース５の係止凸部５３３が本体ケース６の切り欠き部６３３に係合しているため、蓋ケース５と本体ケース６は、離間方向の相対的な変位が規制される。
【００８３】
また、本実施形態の基板ケース４Ｃは、第一実施形態の基板ケース４Ａが有する特徴（既述した（ａ）〜（ｇ）の特徴）と同様の特徴を備えている。
例えば、基板ケース４Ｃの一側に第一の係止構造が形成され、他側にかしめ構造が形成され、また、これら一側と他側との間に第二の係止構造が形成されている。これにより、これら一側と他側との間に位置する蓋ケース５と本体ケース６との隙間に不正工具を挿入して液晶基板３にアクセスする不正行為を防止できる。
【００８４】
さらに、基板ケース４Ｃの一側である蓋ケース５の短辺部５ｃと本体ケース６の短辺部６ｃに第一の係止構造が形成され、当該基板ケース４Ｃの他側である蓋ケース５の短辺部５ｄと本体ケース６の短辺部６ｄにかしめ構造が形成されている。これにより、当該基板ケース４Ｃの短辺側において、それら蓋ケース５の短辺部５ｃ、５ｄと本体ケース６の短辺部６ｃ、６ｄとの隙間に不正工具を挿入して液晶基板３にアクセスする不正行為を防止できる。
また、当該基板ケース４Ｃの長辺側においては、この長辺側の両端に位置する当該基板ケース４Ｃの短辺側において、第一の係止構造とかしめ構造が形成されているので、その長辺側に位置する蓋ケース５の長辺部５ａ、５ｂと本体ケース６の長辺部６ａ、６ｂとの隙間が開き難い状態となっている。これにより、この隙間に不正工具を挿入して液晶基板３にアクセスする不正行為を防止できる。
【００８５】
また、蓋ケース５と本体ケース６との閉じ側への相対的なスライド操作に際して、まず、かしめ部材８の案内部８３が蓋ケース５の案内孔５２５への係止を開始し、その後に、本体ケース６の係止片６１４が蓋ケース５の被係止孔５１３への係止を開始し、その後に、蓋ケース５の係止凸部５３３が本体ケース６の切り欠き部６３３に係合する。これにより、スライド操作の早い段階で、蓋ケース５の案内孔５２５がかしめ部材８の案内部８３によりスライド案内されるので、蓋ケース５の被係止孔５１３に対する本体ケース６の係止片６１４の位置が早い段階で位置決めされ、本体ケース６の切り欠き部６３３に対する蓋ケース５の係止凸部５３３の位置が早い段階で位置決めされることから、これら蓋ケース５の被係止孔５１３に対する本体ケース６の係止片６１４の嵌入や、本体ケース６の切り欠き部６３３に対する蓋ケース５の係止凸部５３３の係合を、スムースに行うことができる。
【００８６】
さらに、基板ケース４Ｃの閉状態においては、かしめ部材８の爪８４が蓋ケース５の係止壁５２６に係止しているために、その蓋ケース５及び本体ケース６の開き方向へスライド操作が規制される。
しかも、かしめ部材８の爪８４の変形を防止する変形防止部５２７が蓋ケース５に設けられているので、蓋ケース５又は本体ケース６を開封方向に無理やりスライドさせた場合でも、蓋ケース５の係止壁５２６からの押圧を受けて弾性変形したかしめ部材８の爪８４が蓋ケース５の変形防止部５２７に当接し、それ以上の弾性変形が規制され、当該基板ケース４Ｃの開封が不能となる。これにより、蓋ケース５又は本体ケース６を開封方向に無理やりスライドさせて開封しようとする不正な開封を防止できる。
【００８７】
また、本体ケース６に挿入された液晶表示パネル２と蓋ケース５に挿入された液晶基板３が、基板ケース４Ｃの内部において、至近距離で平行に配置されるので、これら液晶表示パネル２と液晶基板３とを接続する配線７の長さを短くすることができる。
【００８８】
さらに、蓋ケース５と本体ケース６が閉状態にあるとき、本体ケース６の長辺部６ａ、６ｂは、蓋ケース５の長辺部５ｂ、５ａの厚み方向内側又は厚み方向外側に重なり合っておらず、また、本体ケース６の短辺部６ｃ、６ｄは、蓋ケース５の短辺部５ｃ、５ｄの厚み方向内側又は厚み方向外側に重なり合っていない。
このため、本体ケース６の長辺部６ａ、６ｂの幅（液晶正面枠部６４からの高さ）は、蓋ケース５の長辺部５ｂ、５ａの厚み方向内側又は厚み方向外側に重ならない分だけ短くすることができる。また、本体ケース６の短辺部６ｃ、６ｄの幅（液晶正面枠部６４からの高さ）は、蓋ケース５の短辺部５ｃ、５ｄの厚み方向内側又は厚み方向外側に重ならない分だけ短くすることができる。さらに、蓋ケース５の長辺部５ｂ、５ａの幅（板状部５４からの高さ）は、本体ケース６の長辺部６ａ、６ｂの厚み方向内側又は厚み方向外側に重ならない分だけ短くすることができる。しかも、蓋ケース５の短辺部５ｃ、５ｄの幅（板状部５４からの高さ）は、本体ケース６の短辺部６ｃ、６ｄの厚み方向内側又は厚み方向外側に重ならない分だけ短くすることができる。
これにより、蓋ケース５と本体ケース６の大きさを小さくコンパクトにすることができる。
【００８９】
さらに、本実施形態の基板ケース４Ｃをスロットマシン１００の前扉１００ａの背面に取り付けたときには、当該基板ケース４Ｃの本体ケース６が前扉１００ａの背面に正対し、この本体ケース６に形成された切断容易部６２７が当該基板ケース４Ｃの裏側に位置して、直接アクセスできないようになるので、この切断容易部６２７に対する不正な切断を防止できる。
さらに、不正に切断容易部６２７が切断されたときには、この切断痕を、不正行為が行われたことを示す痕跡として残すことができる。よって、この切断痕の有無を確認することにより、不正行為の発生を確実に発見できる。
【００９０】
以上説明したように、各実施形態に係る遊技機によれば、係止構造が形成された基板ケースの一側とかしめ構造が形成された基板ケースの他側以外の側部に、第二の係止構造を設けたので、この基板ケースの側部における二枚のケース部材の隙間に不正工具を挿入してプリント基板にアクセスする不正行為を防止することができる。
【００９１】
以上、本発明の遊技機について、好ましい実施形態を示して説明したが、本発明に係る遊技機は、上述した実施形態にのみ限定されるものではなく、本発明の範囲で種々の変更実施が可能であることはいうまでもない。
例えば、上述した各実施形態では、基板ケースに収納するプリント基板を液晶基板としたが、液晶基板に限るものではなく、例えば、主基板や副基板、その他の基板などであってもよい。
また、上述した各実施形態では、かしめ部材の案内部が、第一の係止構造における係止や第二の係止構造における係止よりも先に、かしめ構造の案内孔への係止を開始するようにしているが、この順序に限るものではなく、かしめ部材の案内部がかしめ構造の案内孔に係止するよりも先に、第一の係止構造における係止や第二の係止構造における係止が開始するようにしてもよい。
【００９２】
さらに、上述した実施形態では、基板ケースを開封するために切断される部分を切断容易部として説明したが、この切断容易部に代えて、基板ケースを開封するために破壊される破壊容易部を設けることができる。
破壊容易部は、切断容易部と同様の形状であってもよく、あるいは、異なる形状であってもよい。異なる形状とする場合は、例えば、開口を設けず、薄肉部のみで形成し、この薄肉部を破壊することで、本体ケースと蓋ケースとを開封する構成とすることができる。
また、破壊容易部を切断容易部と同様の形状とした場合は、本体ケース又は蓋ケースに形成されたかしめ部材装着部に、複数の開口を互いに近接した位置に配置し、これら複数の開口を起点として当該破壊容易部を破壊することで、本体ケースと蓋ケースとを開封する構成とすることができる。
【産業上の利用可能性】
【００９３】
本発明は、遊技機制御用のプリント基板を収納した基板ケースを備える遊技機で広く利用することができる。
【符号の説明】
【００９４】
１００  スロットマシン（遊技機）
２  液晶表示パネル
３  液晶基板（プリント基板）
４Ａ〜４Ｃ  基板ケース
５  蓋ケース（第一ケース）
５ａ，５ｂ  長辺部
５ｃ，５ｄ  短辺部
５１  蓋側第一係止部（第一の係止構造）
５１１  係止片
５１３  被係止孔
５２  蓋側かしめ部（かしめ構造）
５２４  切断容易部
５２５  案内孔（被かしめ部）
５２６  係止壁
５２７  変形防止部
５３  蓋側第二係止部（第二の係止構造）
５３２  切り欠き部
５３３  係止凸部
６  本体ケース（第二ケース）
６ａ，６ｂ  長辺部
６ｃ，６ｄ  短辺部
６１  本体側第一係止部（第一の係止構造）
６１１  被係止孔
６１４  係止片
６２  本体側かしめ部（かしめ構造）
６２１  案内孔（被かしめ部）
６２２  係止壁
６２３  変形防止部
６２７  切断容易部
６３  本体側第二係止部（第二の係止構造）
６３１  係止凸部
６３３  切り欠き部
７  配線
８  かしめ部材
８３  案内部
８４  爪
【図１】
2015008868.tif 000003
【図２】
2015008868.tif 000004
【図３】
2015008868.tif 000005
【図４】
2015008868.tif 000006
【図５】
2015008868.tif 000007
【図６】
2015008868.tif 000008
【図７】
2015008868.tif 000009
【図８】
2015008868.tif 000010
【図９】
2015008868.tif 000011
【図１０】
2015008868.tif 000012
【図１１】
2015008868.tif 000013
【図１２】
2015008868.tif 000014
【図１３】
2015008868.tif 000015
【図１４】
2015008868.tif 000016
【図１５】
2015008868.tif 000017
【図１６】
2015008868.tif 000018
【図１７】
2015008868.tif 000019
【図１８】
2015008868.tif 000020
【図１９】
2015008868.tif 000021